(57)【要約】【課題】  結婚披露宴等の特定のイベントにおいてデジタルカメラにより撮影された高品質な画像について、会場内のプロジェクタに投影するなどの画像共有を簡易かつ迅速に行い、イベントの演出効果をより高めることができる画像共有支援システムを提供すること。【解決手段】  メモリーカードスロットを備えたデジタルカメラＤＣと、無線通信機能を備えたメモリーカードＭＣと、メモリーカードＭＣ内に記憶された撮影画像の有無を判定し、撮影画像が有る場合には、無線通信機能を用いて撮影画像をサーバ１０に送信するとともにメモリーカードＭＣ内に格納された撮影画像送信手段と、サーバ１０に備えられるとともに、サーバ１０に送信された撮影画像を記憶する撮影画像記憶手段と、撮影画像記憶手段に記憶された記憶画像を表示用端末に送信するサーバ画像送信手段とを備えた。また、記憶画像に広告表示等を付加する加工を行う画像加工手段を備えた。【選択図】  図２
2017134568.tif 000002
【特許請求の範囲】
【請求項１】
メモリーカードスロットを備えたデジタルカメラと、前記メモリーカードスロットに接続可能であるとともに無線通信機能を備えたメモリーカードと、
前記デジタルカメラにより撮影され前記メモリーカード内に記憶された撮影画像の有無を判定し、前記撮影画像が有る場合には、前記無線通信機能を用いて前記撮影画像をサーバに送信するとともに前記メモリーカード内に格納された撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
【請求項２】
メモリーカードスロットを備えたデジタルカメラの前記メモリーカードスロットに接続可能であるとともに無線通信機能を備えたメモリーカード内に記憶された撮影画像の有無を判定し、前記撮影画像が有る場合には、前記無線通信機能を用いて前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
【請求項３】
前記メモリーカードの前記無線通信機能が無線ＬＡＮ機能である請求項１または請求項２に記載の画像共有支援システム。
【請求項４】
前記撮影画像記憶手段には、前記記憶画像を加工する画像加工手段が備えられた請求項１から請求項３のいずれかに記載の画像共有支援システム。
【請求項５】
メモリーカードスロットを備えたデジタルカメラと、前記メモリーカードスロットに接続可能であるとともに近距離無線高速通信機能を備えたメモリーカードと、
移動端末に備えられるとともに、前記デジタルカメラにより撮影され前記メモリーカード内に記憶された撮影画像の有無を判定し、前記撮影画像が有る場合には、前記近距離無線高速通信機能を用いて前記撮影画像を前記移動端末に転送する撮影画像転送手段と、
前記移動端末に備えられるとともに、前記移動端末に転送された前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
【請求項６】
移動端末に備えられるとともに、
メモリーカードスロットを備えたデジタルカメラの前記メモリーカードスロットに接続可能であるとともに近距離無線高速通信機能を備えたメモリーカード内に記憶された撮影画像の有無を判定し、前記撮影画像が有る場合には、前記近距離無線高速通信機能を用いて前記撮影画像を前記移動端末に転送する撮影画像転送手段と、
前記移動端末に備えられるとともに、
前記移動端末に転送された前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
【請求項７】
前記移動端末には、前記撮影画像を加工する画像加工手段が備えられた請求項５または請求項６に記載の画像共有支援システム。
【請求項８】
前記画像加工手段によって、前記記憶画像または前記撮影画像に広告を付加加工する請求項４または請求項７の画像共有支援システム。
【請求項９】
前記画像加工手段によって、前記記憶画像または前記撮影画像に広告を付加加工する請求項４または請求項７の画像共有支援システム。
【発明の詳細な説明】
【技術分野】
【０００１】
この発明は、画像共有を支援する技術に関し、特に、結婚披露宴等の特定のイベント内において撮影される画像の共有を支援する画像共有支援システムに関する。
【背景技術】
【０００２】
従来、結婚披露宴等の特定のイベントにおける画像の共有を支援する画像共有支援システムが提案されている。例えば特許文献１は、結婚披露宴の演出効果をより高めることができる技術的手段を提供することを目的とするものである。具体的には、結婚披露宴の招待者の中には、結婚披露宴の当日よりも前に新郎新婦に祝福のメッセージを送りたい、という希望を持つ者も多く居る。このため、結婚披露宴の前から結婚披露宴の当日までの間に招待者から新郎新婦への祝福メッセージや祝福画像を募り、結婚披露宴当日にこれらの情報を結婚披露宴会場内で公開する仕組みを構築しようとするものである。
【０００３】
このために、特許文献１においては以下のような技術的手段を提案している。結婚披露宴の招待者に送られる招待状には、カードが同封されている。招待者が、スマートフォンＳＭのブラウザを立ち上げてこのカードのＵＲＬへのアクセスを指示する操作を行うと、スマートフォンＳＭに投稿受付サイトが表示される。招待者は、この投稿受付サイトから新郎新婦に宛てた祝福画像及び祝福メッセージを送信することができる。そして、招待者から送られたこれらの祝福画像及び祝福メッセージは披露宴会場内のプロジェクタＰＪによりスクリーンに表示される。  
【先行技術文献】
【特許文献】
【０００４】
【特許文献１】特開２０１４−２１５７２５号公報（図１等）
【発明の概要】
【発明が解決しようとする課題】
【０００５】
ところで、結婚披露宴などのイベント当日においては、会場内においてプロフェッショナルのカメラマンに写真撮影を依頼することがある。近年はスマートフォンなどの付属カメラにより写真を撮影し、この写真を結婚披露宴会場のプロジェクタに投影することも可能となってはいるが、より高い品質の画像を撮影するために、また高品質の画像を連続して撮影するために、カメラマンが使用するカメラは、依然、デジタルカメラ、特にデジタル一眼レフカメラが主流である。
【０００６】
しかしながら、デジタルカメラ自体には撮影された写真をサーバに送信する機能は通常備えられていない。また、デジタルカメラにはメモリーカードを挿入するスロットが備えられていることが多いが、無線通信機能などの通信機能を備えたメモリーカードをこのスロットに挿入して通信を実現することができるが、特定のイベントにおいて、撮影された写真等を即時に会場内のプロジェクタに投影したり、これらの写真等に加工を施すことは困難であった。
【０００７】
本発明は、このような課題に鑑みてなされたものであり、結婚披露宴等の特定のイベントにおいてデジタルカメラにより撮影された高品質な画像について、会場内のプロジェクタに投影するなどの画像共有を簡易かつ迅速に行い、イベントの演出効果をより高めることができる画像共有支援システムを提供することを目的とする。
【課題を解決するための手段】
【０００８】
上記課題を解決するために、本発明において採用した手段は以下のものである。
（１）メモリーカードスロットを備えたデジタルカメラと、前記メモリーカードスロットに接続可能であるとともに無線通信機能を備えたメモリーカードと、
前記デジタルカメラにより撮影され前記メモリーカード内に記憶された撮影画像の有無を判定し、前記撮影画像が有る場合には、前記無線通信機能を用いて前記撮影画像をサーバに送信するとともに前記メモリーカード内に格納された撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
（２）メモリーカードスロットを備えたデジタルカメラの前記メモリーカードスロットに接続可能であるとともに無線通信機能を備えたメモリーカード内に記憶された撮影画像の有無を判定し、前記撮影画像が有る場合には、前記無線通信機能を用いて前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
（３）前記メモリーカードの前記無線通信機能が無線ＬＡＮ機能である（１）または（２）に記載の画像共有支援システム。
（４）前記撮影画像記憶手段には、前記記憶画像を加工する画像加工手段が備えられた（１）から（３）のいずれかに記載の画像共有支援システム。
（５）メモリーカードスロットを備えたデジタルカメラと、前記メモリーカードスロットに接続可能であるとともに近距離無線高速通信機能を備えたメモリーカードと、
移動端末に備えられるとともに、前記デジタルカメラにより撮影され前記メモリーカード内に記憶された撮影画像の有無を判定し、前記撮影画像が有る場合には、前記近距離無線高速通信機能を用いて前記撮影画像を前記移動端末に転送する撮影画像転送手段と、
前記移動端末に備えられるとともに、前記移動端末に転送された前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
（６）移動端末に備えられるとともに、
メモリーカードスロットを備えたデジタルカメラの前記メモリーカードスロットに接続可能であるとともに近距離無線高速通信機能を備えたメモリーカード内に記憶された撮影画像の有無を判定し、前記撮影画像が有る場合には、前記近距離無線高速通信機能を用いて前記撮影画像を前記移動端末に転送する撮影画像転送手段と、
前記移動端末に備えられるとともに、
前記移動端末に転送された前記撮影画像をサーバに送信する撮影画像送信手段と、
前記サーバに備えられるとともに、前記サーバに送信された前記撮影画像を記憶する撮影画像記憶手段と、
前記撮影画像記憶手段に記憶された記憶画像を表示用端末に送信するサーバ画像送信手段とを備えた画像共有支援システム。
（７）前記移動端末には、前記撮影画像を加工する画像加工手段が備えられた（５）または（６）に記載の画像共有支援システム。
（８）前記画像加工手段によって、前記記憶画像または前記撮影画像に広告を付加加工する（４）または（７）の画像共有支援システム。
（９）前記表示用端末にプロジェクタ、デジタルサイネージなどの表示装置が接続された（１）から（８）のいずれかの画像共有支援システム。
【０００９】
本発明では、前述したように、デジタルカメラのメモリーカードから無線通信機能又は近距離無線高速通信機能により撮影画像を最終的にはサーバに送信し、このサーバに記憶された記憶画像を表示用端末又は表示用端末に接続されたプロジェクタ等の表示装置に表示させることができる。よって、特定のイベントにおいて、デジタルカメラで撮影された画像をプロジェクタ等の表示装置に即時に表示させることができる。よって、デジタルカメラで撮影された高品質な画像を簡易かつ迅速に共有することができる。
【図面の簡単な説明】
【００１０】
【図１】本発明の一実施形態である画像共有支援システムの構成を示す図である。
【図２】図１の画像共有支援システムにおけるデジタルカメラからサーバまでの処理イメージを示す図である。
【図３】図１の画像共有支援システムのデジタルカメラによって撮影された撮影画像の一例である。
【図４】記憶画像について加工された加工画像の一例である。
【図５】同システムにおけるデジタルカメラからサーバまでの別の処理イメージを示す図である。
【図６】図５の画像共有支援システムの移動端末の画像取得状態を示す操作画面の一例である。
【図７】図５の画像共有支援システムの移動端末のデータ送信状態を示す操作画面の一例である。
【図８】同システムにおけるデジタルカメラからサーバまでのさらに別の処理イメージを示す図である。
【発明を実施するための形態】
【００１１】
以下、図面を参照しつつ本発明の実施形態について説明する。図１は、本発明の画像共有支援システムの一実施形態である結婚披露宴支援方法を実現する画像共有支援システム１の構成を示す図である。図１に示すように、この画像共有支援システム１は、スマートフォンＳＭ、パーソナルコンピュータＰＣ、印刷装置ＰＲＮＴ、プロジェクタＰＪ、デジタルサイネージＤＳ、デジタルカメラＤＣ、サーバ１０を有する。スマートフォンＳＭ及びデジタルカメラＤＣは、結婚披露宴の新郎新婦及び招待者、またはカメラ撮影を行う撮影業者が使用する端末である。パーソナルコンピュータＰＣは、結婚披露宴の支援事業者、結婚披露宴の会場となるホテル等を運営する事業者、及び結婚披露宴の記念アルバムの作成を請け負う事業者が利用する端末である。アルバム作成事業者のパーソナルコンピュータＰＣは、印刷装置ＰＲＮＴと接続されている。プロジェクタＰＪは、結婚披露宴の会場に設置されたスクリーンに向けて画像を映写する画像表示装置である。デジタルサイネージＤＳは、同様に結婚披露宴の会場に設置された、プロジェクタＰＪ以外の液晶表示装置等の画像表示装置である。サーバ１０は、披露宴支援事業者による管理の下に各種ウェブサービスを提供する装置である。
【００１２】
サーバ１０は、通信インターフェース１１、ＣＰＵ１２、ＲＡＭ１３、ＲＯＭ１４、ハードディスク１５を有する。通信インターフェース１１は、インターネット９０に接続された装置との間でデータを送受信する。ＣＰＵ１２は、ＲＡＭ１３をワークエリアとして利用しつつ、ＲＯＭ１４やハードディスク１５に記憶された各種プログラムを実行する。ＲＯＭ１４には、ＩＰＬ（Initial Program Loader）などが記憶されている。ハードディスク１５には、データベースＤＢとプログラムＰＲが記憶されている。
【００１３】
図２は、画像共有支援システム１におけるデジタルカメラＤＣからサーバ１０までの処理イメージを示す図である。デジタルカメラＤＣにはメモリーカードスロットに接続されたメモリーカードＭＣが備えられている。このメモリーカードＭＣは、無線ＬＡＮ（いわゆるＷｉｆｉ）等の無線通信機能を備えている。またメモリーカードＭＣには、撮影画像送信手段を備えたスクリプトファイル（プログラム）２０が組み込まれている。またさらに、このメモリーカードＭＣには、各種の設定ファイル２２も組み込まれている。
【００１４】
デジタルカメラＤＣのメモリーカードＭＣ内における撮影画像の有無は、スクリプトファイル２０に備えられた撮影画像送信手段により判定される。判定はごく短時間の一定時間毎に行われる。メモリーカードＭＣ内に撮影画像が有る場合には、撮影画像は、メモリーカードＭＣ内の無線通信機能を用いて、近隣のアクセスポイント９２を介しインターネット９０を経由してサーバ１０に送信される。送信債は、予め設定ファイル２２において設定されている。受信された撮影画像は、サーバ１０においてハードディスクＨＤ等の撮影画像記憶手段に記憶画像として保存される。送信後にはさらに撮影画像の有無を判定する。
【００１５】
サーバ１０に記憶された記憶画像は、所望に応じて、サーバ１０内のプログラムＰＲに備えられた画像加工手段によって、特定の画像加工が施される。この画像加工は、本システム１が利用されるイベントに応じて種々のものが考えられる。結婚披露宴であれば、例えば、画像の周りに各種の縁取りを付けたり、花やケーキなどの図柄を付加することが考えられる。また、特定のメッセージや、新郎新婦の名前などの文字列を付加することも考えられる。図３に示されるのは、デジタルカメラＤＣによって撮影された撮影画像の例である。サーバ１０に記憶される記憶画像は、基本的にはこの撮影画像と同一とされる。図４に示されるのは、加工画像の例である。本例では、撮影画像に対して、外縁にポラロイド（登録商標）カメラで撮影したような枠８２を付加する加工を施している。なお、加工前の画像もサーバ１０に記憶されたまま保存しておくことが望ましい。加工前の画像そのものの利用や、さらに別の加工をして利用するためである。
【００１６】
また、本システム１においては、上記した枠の付加以外にも、文字列からなる広告表示８４も付加して加工している。図４においては、画像の右下に「スマラポ！」を広告表示８４の例として付加している。このような「広告」を付加する加工を可能とすることにより、利用される画像について、単なる装飾効果を施すだけではなく、広告表示という商業的利用を可能とすることもできる。
【００１７】
このようにして必要に応じて加工された記憶画像について、サーバ１０のサーバ画像送信手段により、インターネット等を経由して、結婚披露宴会場などのイベント会場において、表示装置の一例であるプロジェクタＰＪからスクリーンに記憶画像が投影される。必要な場合にはデジタルサイネージＤＳ等に表示させてもよい。このようにして、デジタルカメラＤＣによってイベント会場において撮影された高画質の画像が、当該会場内において、参加者全員が見ることのできるスクリーンにすぐに投影されるので、会場のライブ感を向上させるなどイベントの楽しさをより向上させることができる。
【００１８】
また本システム１においては、イベント会場のスクリーン等に投影すると同時に、スマートフォンＳＭなどの端末においても、当該記憶画像についてのＵＲＬなどをイベントの参加者に告知する（スクリーン上に投影しても良い）ことにより、参加者が当該ＵＲＬにアクセスして、自分が保有するスマートフォンＳＭなどの端末においても、投影されている画像と同様に、またイベント会場において同時に、当該記憶画像を閲覧などすることができる。このため、参加者は、手元においてもスクリーンに投影された画像を楽しむことができ、イベント参加の楽しさを一層向上させることができる。
【００１９】
次いで、本発明の別の画像共有支援システム１ａについて説明する。図５は、システム１ａにおけるデジタルカメラＤＣからサーバ１０までの処理イメージを示す図である。本システム１ａは、前述したシステム１と異なり、デジタルカメラＤＣにおいて撮影された撮影画像は、アクセスポイント９２を介して、いったん移動端末であるスマートフォンＳＭに取り込まれるものである。なお、システム１と共通する構成については、図面中に同一の符号を付してその説明を省略する。
【００２０】
システム１ａにおいては、スマートフォンＳＭ内に専用アプリ８６が組み込まれている。イベント参加者が、予め保有するスマートフォンＳＭにこの専用アプリ８６をインストールしておくこともできる。専用アプリ８６は、デジタルカメラＤＣによって撮影された画像の受信方法、撮影された画像の送信先等の設定ファイル２２を備えている。図６に示されるように、スマートフォンＳＭにおいて撮影画像が取り込まれる。そして、取り込まれた画像について、図７に示されるように、送信して投稿する画像を選択する。専用アプリ８６においては、受信した撮影画像の画像サイズを圧縮するなどの加工を行っても良い。また、専用アプリ８６において、スマートフォンＳＭの操作者により画像自体の加工を行ったうえでサーバ１０に画像を送信する方法も考えられる。
【００２１】
そして、スマートフォンＳＭからアクセスポイント９２を介してインターネット９０を経由してサーバ１０に送信された画像は、システム１と同様に、スクリーンに投影などされて、イベント参加者によって楽しむことができる。なお、図の例とは異なり、スマートフォンＳＭは、アクセスポイントの役割を兼任（具体的にはテザリングなど）することもできる。
【００２２】
次いで、本発明のさらに別の画像共有支援システム１ｂについて説明する。図８は、システム１ｂにおけるデジタルカメラＤＣからサーバ１０までの処理イメージを示す図である。本システム１ｂは、前述したシステム１ａと異なり、デジタルカメラＤＣにおいて撮影された撮影画像は、アクセスポイント９２を介さずに直接スマートフォンＳＭに取り込まれるものである。なお、システム１、システム１ｂと共通する構成については、図面中に同一の符号を付してその説明を省略する。
【００２３】
システム１ｂにおいては、デジタルカメラＤＣのメモリーカードＭＣに近距離無線高速通信機能が備えられている。一方、スマートフォンＳＭ側には、近距離高速無線通信アダプタ８８を接続しておく。画像を撮影後に逐次デジタルカメラＤＣとスマートフォンＳＭを接近させて、近距離無線高速通信によりスマートフォンＳＭに撮影画像を取り込ませる。なお、図の例とは異なり、スマートフォンＳＭは、アクセスポイントの役割を兼任（具体的にはテザリングなど）することもできる。
【００２４】
このようなシステム１、１ａ、１ｂでは、イベントの会場においてリアルタイムに画像を投影などするだけではなく、サーバ１０に記憶された記憶画像、または加工済みの記憶画像について、イベント終了後にも閲覧やダウンロードを可能としても良い。このようにして、イベント参加者は、イベントへの参加時だけではなく、イベント終了後においても画像を閲覧・ダウンロード等することができるので、当日だけではなくイベント全体についてイベントの終了後においても楽しむことができる。
【００２５】
また、同様に、イベント当日の前においても、参加者に対して画像サイトのＵＲＬを事前に告知し、当該画像サイトにイベント関連の事前画像などを掲載しておくことにより、イベント開始前においてイベントへの興味・関心を高めるなど、イベント当日以外も含めたイベント全体を楽しませることができる。
【００２６】
また、この無線通信機能を備えたメモリーカードＭＣは通常は撮影業者が保有するデジタルカメラＤＣに取り付けられて用いられるものであるが、新郎新婦や招待者にこの種類のメモリーカードＭＣを貸し出し、これらの者が持参したデジタルカメラＤＣのメモリーカードスロットに取り付けて撮影業者のデジタルカメラＤＣと同様に使用することも考えられる。
【符号の説明】
【００２７】
１，１ａ，１ｂ；結婚披露宴支援システム、１０；サーバ、１１；通信インターフェース、１２；ＣＰＵ、１３；ＲＡＭ、１４；ＲＯＭ、１５；ハードディスク、２０；スクリプトファイル（プログラム）、２２；設定ファイル、８２；枠、８４；広告表示、８６；専用アプリ、８８；近距離高速無線通信アダプタ、９０；インターネット、９２；アクセスポイント、ＳＭ；スマートフォン、ＤＣ；デジタルカメラ、ＭＣ；メモリーカード、ＰＣ；パーソナルコンピュータ、ＰＲＮＴ；印刷装置、ＰＪ；プロジェクタ、ＤＳ；デジタルサイネージ、ＤＢ；データベース、ＰＲ；プログラム。
【図１】
2017134568.tif 000003
【図２】
2017134568.tif 000004
【図３】
2017134568.tif 000005
【図４】
2017134568.tif 000006
【図５】
2017134568.tif 000007
【図６】
2017134568.tif 000008
【図７】
2017134568.tif 000009
【図８】
2017134568.tif 000010